(57)【特許請求の範囲】
【請求項１】
吸入口と排気口を有する容器本体を有し、該容器本体にはモーターの回転により回転駆動されるファンが設けられ、前記容器本体に液体薬剤収納部が形成され、前記液体薬剤収納部に収納された液体薬剤を前記ファンの回転により強制的に揮散させる液体薬剤揮散装置において、前記容器本体に液体薬剤が収納される液体薬剤収納部が形成され、前記液体薬剤収納部の上部壁に透孔が設けられ、該透孔より下方に延びる筒部が形成され、前記容器本体の排気口と連通する側の下部壁に透孔が設けられ、該透孔の周縁に通気路を形成する筒部が形成され、前記下部壁の筒部が上部壁の筒部の内部に適宜の間隔をおいて挿入されていることを特徴とする液体薬剤揮散装置。
【請求項２】
前記容器本体の吸入口が前記液体薬剤収納部を通過する空気を吸引する第１の吸入口と、前記液体薬剤収納部を通過しない空気を吸引する第２の吸入口とを有することを特徴とする請求項１に記載の薬剤揮散装置。
【請求項３】
前記第２の吸入口に、空気の流入量を調節する調節機構が設けられていることを特徴とする請求項２に記載の液体薬剤揮散装置。
【請求項４】
前記液体薬剤収納部に吸液性部材を挿入したことを特徴とする請求項１乃至３の何れか１項に記載の液体薬剤揮散装置。
【請求項５】
前記液体薬剤収納部に収納された液体薬剤に吸液性部材を浮かして挿入したことを特徴とする請求項１乃至３の何れか１項に記載の液体薬剤揮散装置。
【請求項６】
前記吸液性部材が前記液体薬剤を吸収し得る球状，円柱状，角柱状，円錐状，角錐状、またはこれらの組み合わせからなる立体形状からなることを特徴とする請求項４、または請求項５に記載の液体薬剤揮散装置。
【発明の詳細な説明】
【０００１】
【発明の属する技術分野】
本発明は液体薬剤揮散装置に関し、更に詳細に説明すると、吸入口と排気口を有する容器本体を有し、該容器本体にはモーターの回転により回転駆動されるファンが設けられ、前記容器本体に液体薬剤収納部が形成され、前記液体薬剤収納部に収納された液体薬剤を前記ファンの回転により強制的に揮散させる液体薬剤揮散装置に関する。
【０００２】
【従来の技術】
従来より、部屋，玄関，台所，車室及びトイレ等の芳香，消臭，防虫，防かびのために種々の芳香剤，消臭剤，防虫剤，防かび剤等が用いられている。
また、従来より芳香剤及び消臭剤等の液体薬剤をモーターの回転により回転駆動されるファンを用いて強制的に揮散させる電気、電池式の液体薬剤揮散装置が種々存在する。
【０００３】
これらの液体薬剤揮散装置は、口細の上面開口容器の液体薬剤収納部に液状の芳香剤，消臭剤等を収納し、この液状の芳香剤，消臭剤等の液体薬剤を吸液芯で吸い上げ、この液体薬剤に風を当てて揮散させるようにしたもの、または前記吸液芯の上端に板状に形成された揮散体を当接し、揮散効率を向上させるもの等が存在する。
【０００４】
【発明が解決しようとする課題】
然し乍ら、従来の液体薬剤揮散装置では液体薬剤の揮散効率が経時的に悪化し、揮散効率が低下していく欠点を有するものであった。液体薬剤を長期間に亘って均一に揮散させることができない欠点を有していた。また電池式の液体薬剤揮散装置の場合には、電池の寿命による揮散効率の低下が生じ、更に長期間に亘って液体薬剤を揮散させた場合には、液体薬剤の残量が少なくなり、同様に揮散効率の低下が生じる欠点を有していた。
【０００５】
本発明の目的は、構成が簡易で小型、軽量であると共に、吸入口からの空気の流入量を調節することにより、液体薬剤の揮散濃度を調節することができ、電池の寿命が近づいてきても液体薬剤を長期間安定して揮散させることができ、また液体薬剤の残量が少なくなった場合にも液体薬剤を安定して揮散させることができ、液体薬剤がこぼれる虞れがなく、液体薬剤等の注入または交換が容易で、経済性に優れた液体薬剤揮散装置を提供するものである。
【０００６】
【課題を解決するための手段】
本発明は上述せる課題に鑑みてなされたもので、本発明の請求項１に記載の液体薬剤揮散装置は、吸入口と排気口を有する容器本体を有し、該容器本体にはモーターの回転により回転駆動されるファンが設けられ、前記容器本体に液体薬剤収納部が形成され、前記液体薬剤収納部に収納された液体薬剤を前記ファンの回転により強制的に揮散させる液体薬剤揮散装置において、前記容器本体に液体薬剤が収納される液体薬剤収納部が形成され、前記液体薬剤収納部の上部壁に透孔が設けられ、該透孔より下方に延びる筒部が形成され、前記容器本体の排気口と連通する側の下部壁に透孔が設けられ、該透孔の周縁に通気路を形成する筒部が形成され、前記下部壁の筒部が上部壁の筒部の内部に適宜の間隔をおいて挿入されていることを特徴とする。
【０００７】
本発明の請求項２に記載の液体薬剤揮散装置は、前記容器本体の吸入口が前記液体薬剤収納部を通過する空気を吸引する第１の吸入口と、前記液体薬剤収納部を通過しない空気を吸引する第２の吸入口とを有することを特徴とする。
【０００８】
本発明の請求項３に記載の液体薬剤揮散装置は、前記第２の吸入口に、空気の流入量を調節する調節機構が設けられていることを特徴とする。
【０００９】
本発明の請求項４に記載の液体薬剤揮散装置は、前記液体薬剤収納部に吸液性部材を挿入したことを特徴とする。
【００１０】
本発明の請求項５に記載の液体薬剤揮散装置は、前記液体薬剤収納部に収納された液体薬剤に吸液性部材を浮かして挿入したことを特徴とする。
【００１１】
本発明の請求項６に記載の液体薬剤揮散装置は、前記吸液性部材が前記液体薬剤を吸収し得る球状，円柱状，角柱状，円錐状，角錐状、またはこれらの組み合わせからなる立体形状からなることを特徴とする。
【００１３】
本発明の請求項１に記載の液体薬剤揮散装置によれば、液体薬剤収納部の上部壁に透孔が設けられ、該透孔より下方に延びる筒部が形成され、前記容器本体の排気口と連通する側の下部壁に透孔が設けられ、該透孔の周縁に通気路を形成する筒部が形成され、前記下部壁の筒部が上部壁の筒部の内部に適宜の間隔をおいて挿入されているので、容器本体を誤って転倒させた場合に、液体薬剤の液面が筒部まで達することがなく、液体薬剤の液面が液体薬剤収納部の筒部の下方に位置し、液体薬剤が液体薬剤収納部の筒部より外部にこぼれるのを防止することができる。
【００１４】
本発明の請求項２に記載の液体薬剤揮散装置によれば、容器本体の吸入口が液体薬剤収納部を通過する空気を吸引する第１の吸入口と、液体薬剤収納部を通過しない空気を吸引する第２の吸入口とを有するので、吸入口からの空気の流入量を調節することにより、液体薬剤の揮散濃度を調節することができ、液体薬剤を長期間安定して揮散させることができる。
【００１５】
本発明の請求項３に記載の液体薬剤揮散装置によれば、容器本体の吸入口が液体薬剤収納部を通過する空気を吸引する第１の吸入口と、液体薬剤収納部を通過しない空気を吸引する第２の吸入口とを有し、前記第２の吸入口に、空気の流入量を調節する調節機構が設けられているので、吸入口からの空気の流入量を調節機構により調節することにより、液体薬剤の揮散濃度を調節することができ、液体薬剤を長期間安定して揮散させることができる。
【００１６】
本発明の請求項４に記載の液体薬剤揮散装置によれば、液体薬剤収納部に吸液性部材を挿入したので、液体薬剤の揮散面積が増大し、電池の電力低下に伴う効率ダウンを補い、液体薬剤を長期間安定して揮散させることができ、液体薬剤の残量が少なくなり、液体薬剤の液面が下降した場合には更に吸液性部材が露出し、液体薬剤の揮散面積が増大し、液体薬剤を安定して揮散させることができ、また液体薬剤中の不揮発成分を吸液性部材が吸収する。
【００１７】
本発明の請求項５に記載の液体薬剤揮散装置によれば、液体薬剤収納部に収納された液体薬剤に吸液性部材を浮かして挿入したので、液体薬剤の揮散面積が増大し、電池の電力低下に伴う効率ダウンを補い、液体薬剤を長期間安定して揮散させることができ、また液体薬剤の残量が少なくなり、液体薬剤の液面が下降した場合には更に吸液性部材が露出し、液体薬剤の揮散面積が増大し、液体薬剤を安定して揮散させることができ、また液体薬剤中の不揮発成分を吸液性部材が吸収する。
【００１８】
本発明の請求項６に記載の液体薬剤揮散装置によれば、吸液性部材が前記液体薬剤を吸収し得る球状，円柱状，角柱状，円錐状，角錐状、またはこれらの組み合わせからなる立体形状からなるので、液体薬剤に浮き易く、液体薬剤の揮散面積が増大し、液体薬剤を安定して揮散させることができ、また液体薬剤中の不揮発成分を吸液性部材の立体面が吸収する。
【００２０】
【発明の実施の形態】
以下本発明に係る液体薬剤揮散装置を図面を参照して詳述する。
図１乃至図５（ａ），（ｂ）には本発明の実施の形態が夫々示されており、この液体薬剤揮散装置１１は合成樹脂製の容器本体１２を有し、この容器本体１２は図１及び図２より明らかな如く、円筒または楕円筒状の下部本体１３と上部本体１５とを有し、これら下部本体１３と上部本体１５とが、図示せざるも螺合，嵌合，係合または接合等により連結されて一体化されている。
【００２１】
前記容器本体１２の下部本体１３は液体薬剤４１が収納される液体薬剤収納部１７を有しており、この液体薬剤収納部１７の上方に楕円形状の上部壁１９が設けられ、この上部壁１９の略中央位置に円形状の透孔２１が設けられ、この透孔２１の周縁に下向きフランジ状の円筒部２３が形成されている。
【００２２】
前記容器本体１２の上部本体１５は楕円形状の下部壁２５を有し、この下部壁２５の外周縁に下方に延びる側壁部２７が形成され、この側壁部２７の下端が下部本体１３の上部壁１９側と連結される。
【００２３】
上部本体１５の下部壁２５の略中央位置に円形状の透孔２９が設けられ、この透孔２９の周縁に通気路を形成する円筒部３１が形成されている。前記下部壁２５の透孔２９は前記上部壁１９の透孔２１と対向する位置に形成され、且つ小径に形成され、下部壁２５の円筒部３１が上部壁１９の円筒部２３の内部に適宜の間隔をおいて挿入されている。尚、前記円筒部２３及び円筒部３１に代えて角筒部またはその他の形状の筒部とすることもできる。
【００２４】
前記下部壁２５の円筒部３１の下端は上部壁１９の円筒部２３の下端より下方に延びて形成され、液体薬剤収納部１７に収納された液体薬剤４１の上端面より上方に位置している。このような容器本体１２の構成により、容器本体１２を誤って転倒した場合でも、上部壁１９の円筒部２３が上部壁１９の略中央位置に形成されているので、液体薬剤４１の液面が円筒部２３まで達することがなく、液体薬剤収納部１７の上部壁１９の円筒部２３の下方に位置し、液体薬剤４１が液体薬剤収納部１７に収納された状態を保持し、液体薬剤４１が液体薬剤収納部１７の円筒部２３から外部にこぼれるのを防止することができる。
【００２５】
前記下部壁２５の側壁部２７に複数の小孔または長穴からなる吸入口３３が形成され、また前記上部本体１５の一側に排気口３５が形成されている。この吸入口３３と連通し、液体薬剤収納部１７を通過するように外部の空気を吸引する第１の吸入口５３が前記下部壁２５の円筒部３１と上部壁１９の円筒部２３との間に形成されている。
【００２６】
また前記吸入口３３と連通し、液体薬剤収納部１７を通過しない外部の空気を吸引する第２の吸入口５５が上部本体１５の下部壁２５に形成されている。この第２の吸入口５５には、図４及び図５（ａ），（ｂ）に示す如く、空気の流入量を調節する調節機構６１が設けられている。
【００２７】
前記調節機構６１は前記第２の吸入口５５を開閉するシャッター部材６３と、このシャッター部材６３に連結された操作杆６５とを有し、前記操作杆６５の先端の操作ノブ６７が側壁部２７に形成されたスリット６９の外方に位置している。前記操作杆６５の基端は枢支ピン６８により下部壁２５に枢支されている。尚、調節機構６１は枢支ピン６８により枢支されるものに限定されるものではなく、スライド式であってもよい。
【００２８】
前記容器本体１２の上部本体１５にはモーター３７の回転により回転駆動されるファン３９が設けられ、前記液体薬剤収納部１７に収納された液体薬剤４１を前記ファン３９の回転により強制的に揮散させることができるようになされている。
【００２９】
この上部本体１５の下部壁２５には上方に延びる支持壁２６が植設され、この支持壁２６の一側側にモーター３７のモーターケース４３が支持され、また支持壁２６の他側側に電池４５の収納部４７が形成されている。前記モーター３７と電池４５とは電気的に接続されている。
【００３０】
前記ファン３９は、本実施の形態ではシロッコファンより形成されている。また図示せざるもこのファン３９の回転軸にはモーター３７の出力軸が連結され、ファン３９が回転駆動される。
【００３１】
図５（ｂ）に示す如く、シャッター部材６３が第２の吸入口５５に位置している場合には、第２の吸入口５５が閉鎖された状態となり、吸入口３３から吸引された外部の空気は液体薬剤収納部１７を通過する第１の吸入口５３に導かれる。従って、上部本体１５の一側の排気口３５から揮散濃度の高い液体薬剤４１が供給される。
【００３２】
図５（ａ）に示す如く、シャッター部材６３が第２の吸入口５５より移動されると、第２の吸入口５５が開放された状態となり、吸入口３３から吸引された外部の空気は液体薬剤収納部１７を通過する第１の吸入口５３と、第２の吸入口５５に導かれる。従って、上部本体１５の一側の排気口３５から揮散濃度の希釈された液体薬剤４１が供給される。尚、シャッター部材６３を閉鎖及び開放の中間に位置させることもでき、所望とする揮散濃度の液体薬剤４１を供給させることもできる。
【００３３】
前記液体薬剤収納部１７に収納される液体薬剤４１は、芳香剤，消臭剤，防虫剤，防かび剤の単独若しくは２種以上の混合物から形成することができる。これらの液体薬剤４１は原液をそのまま用いることもできるが、適当な有機溶剤を用いて希釈したものを用いることができる。
【００３４】
また、水に界面活性剤、例えばアニオン系界面活性剤、カチオン系界面活性剤、ノニオン系界面活性剤の単独もしくは２種以上混合したものを用いて可溶化させた水溶液を用いることができる。
【００３５】
前記有機溶剤は、エタノール、メタノール等のアルコール類、プロピレングリコール、エチレングリコール等のグリコール類、ジメチルエーテル等のエーテル類等を用いることができる。またこの他にも色素、キレート剤、防腐剤等を入れてもよい。
【００３６】
前記液体薬剤収納部１７に収納される液体薬剤４１には、図２及び図３に示す如く、複数の吸液性部材７１が挿入されている。この吸液性部材７１は前記液体薬剤４１を吸収し得る立体形状に形成されている。
【００３７】
前記吸液性部材７１は一例として、球状，円柱状，角柱状，円錐状，角錐状、またはこれらの組み合わせからなる立体形状からなり、少なくともこれらの立体形状の外表面が吸液性を有し、且つ上部壁１９の透孔２１より挿入可能な大きさであればよい。例えば、吸液性部材７１は１cm3 程度のものを１０個位用いればよいものである。尚、吸液性部材７１は中実に限らず、中空状とすることもできる。また多数の吸液性部材７１をバラバラに挿入するものに代えて、こらを連結して用い、更には数珠つなぎにして用いてもよい。
【００３８】
前記液体薬剤収納部１７に収納された液体薬剤４１に吸液性部材７１を浮かして挿入することにより、液体薬剤４１の揮散面積が増大し、電池４５の寿命が近づいて、電池４５の電力低下に伴う効率ダウンが発生しても、この効率ダウンを補い、液体薬剤４１を長期間安定して揮散させることができる。また液体薬剤４１中の不揮発成分を吸液性部材７１が吸収する。
【００３９】
前記吸液性部材７１は液体薬剤４１に浮き易く、液体薬剤４１の揮散面積を増大することができるものである。尚、液体薬剤４１に多少浮くものが好ましいが、浮かないものであってもよい。
【００４０】
前記吸液性部材７１が液体薬剤４１に浮かない場合であっても、図３に示す如く、液体薬剤の残量が少なくなり、液体薬剤の液面が下降した場合に、吸液性部材７１の露出面積が大きくなり、同様に液体薬剤４１の揮散面積が増大し、液体薬剤４１が存在しなくなるなるまで安定して揮散させることができる。
【００４１】
【実施例】
次に、液体薬剤４１の具体的な処方につき説明する。
【００４２】
0004044979.tif 000002
【００４３】
0004044979.tif 000003
【００４４】
0004044979.tif 000004
【００４５】
0004044979.tif 000005
【００４６】
0004044979.tif 000006
【００４７】
0004044979.tif 000007
【００４８】
【発明の効果】
以上が本発明に係る液体薬剤揮散装置の実施の形態であるが、斯る本発明の請求項１に記載の液体薬剤揮散装置によれば、液体薬剤収納部の上部壁に透孔が設けられ、該透孔より下方に延びる筒部が形成され、前記容器本体の排気口と連通する側の下部壁に透孔が設けられ、該透孔の周縁に通気路を形成する筒部が形成され、前記下部壁の筒部が上部壁の筒部の内部に適宜の間隔をおいて挿入されているので、容器本体を誤って転倒させた場合に、液体薬剤の液面が筒部まで達することがなく、液体薬剤の液面が液体薬剤収納部の筒部の下方に位置し、液体薬剤が液体薬剤収納部の筒部より外部にこぼれるのを防止することができる。
【００４９】
本発明の請求項２に記載の液体薬剤揮散装置によれば、容器本体の吸入口が液体薬剤収納部を通過する空気を吸引する第１の吸入口と、液体薬剤収納部を通過しない空気を吸引する第２の吸入口とを有するので、吸入口からの空気の流入量を調節することにより、液体薬剤の揮散濃度を調節することができ、液体薬剤を長期間安定して揮散させることができる。
【００５０】
本発明の請求項３に記載の液体薬剤揮散装置によれば、容器本体の吸入口が液体薬剤収納部を通過する空気を吸引する第１の吸入口と、液体薬剤収納部を通過しない空気を吸引する第２の吸入口とを有し、前記第２の吸入口に、空気の流入量を調節する調節機構が設けられているので、吸入口からの空気の流入量を調節機構により調節することにより、液体薬剤の揮散濃度を調節することができ、液体薬剤を長期間安定して揮散させることができる。
【００５１】
本発明の請求項４に記載の液体薬剤揮散装置によれば、液体薬剤収納部に吸液性部材を挿入したので、液体薬剤の揮散面積が増大し、電池の電力低下に伴う効率ダウンを補い、液体薬剤を長期間安定して揮散させることができ、液体薬剤の残量が少なくなり、液体薬剤の液面が下降した場合には更に吸液性部材が露出し、液体薬剤の揮散面積が増大し、液体薬剤を安定して揮散させることができ、また液体薬剤中の不揮発成分を吸液性部材が吸収する。
【００５２】
本発明の請求項５に記載の液体薬剤揮散装置によれば、液体薬剤収納部に収納された液体薬剤に吸液性部材を浮かして挿入したので、液体薬剤の揮散面積が増大し、電池の電力低下に伴う効率ダウンを補い、液体薬剤を長期間安定して揮散させることができ、また液体薬剤の残量が少なくなり、液体薬剤の液面が下降した場合には更に吸液性部材が露出し、液体薬剤の揮散面積が増大し、液体薬剤を安定して揮散させることができ、また液体薬剤中の不揮発成分を吸液性部材が吸収する。
【００５３】
本発明の請求項６に記載の液体薬剤揮散装置によれば、吸液性部材が前記液体薬剤を吸収し得る球状，円柱状，角柱状，円錐状，角錐状、またはこれらの組み合わせからなる立体形状からなるので、液体薬剤に浮き易く、液体薬剤の揮散面積が増大し、液体薬剤を安定して揮散させることができ、また液体薬剤中の不揮発成分を吸液性部材の立体面が吸収する。
【００５５】
本発明によれば、構成が簡易で小型、軽量であると共に、吸入口からの空気の流入量を調節することにより、液体薬剤の揮散濃度を調節することができ、電池の寿命が近づいてきても液体薬剤を長期間安定して揮散させることができ、また液体薬剤の残量が少なくなった場合にも液体薬剤を安定して揮散させることができ、液体薬剤がこぼれる虞れがなく、液体薬剤等の注入または交換が容易で、経済性に優れた液体薬剤揮散装置を得ることができる。
【図面の簡単な説明】
【図１】本発明に係わる液体薬剤揮散装置の概略を示す斜視図。
【図２】本発明に係わる液体薬剤揮散装置の概略を示す断面図。
【図３】本発明に係わる液体薬剤揮散装置の液体薬剤が減少した状態の一部拡大断面図。
【図４】本発明に係わる液体薬剤揮散装置の吸入口の一部拡大断面図。
【図５】本発明に係わる液体薬剤揮散装置の空気の流入量の調節機構を示すもので、（ａ）は第２の吸入口が開放された状態の平面図、（ｂ）は第２の吸入口が閉鎖された状態の平面図。
【符号の説明】
１１      液体薬剤揮散装置
１２      容器本体
１３      下部本体
１５      上部本体
１７      液体薬剤収納部
１９      上部壁
２１      透孔
２３      円筒部
２５      下部壁
２６      支持壁
２７      側壁部
２９      透孔
３１      円筒部
３３      吸入口
３５      排気口
３７      モーター
３９      ファン
４１      液体薬剤
４３      モーターケース
４５      電池
４７      収納部
５３      第１の吸入口
５５      第２の吸入口
６１      調節機構
６３      シャッター部材
６５      操作杆
７１      吸液性部材
【図１】
0004044979.tif 000008
【図２】
0004044979.tif 000009
【図３】
0004044979.tif 000010
【図４】
0004044979.tif 000011
【図５】
0004044979.tif 000012